(57)【特許請求の範囲】
【請求項１】
無線端末であって、
制御部と、
受信部と、
送信部と、を備え、
前記制御部は、基地局を介さない無線端末間での直接的な通信に用いられ且つ前記基地局から報知された無線リソースの中から、前記直接的な通信に用いる無線リソースを自律的に割り当てるよう構成され、
前記受信部は、前記直接的な通信を行っている場合に、前記基地局を介さずに無線端末間で直接的に送受信される無線信号を他の無線端末から受信するよう構成され、
前記制御部は、前記無線信号の受信電力と閾値とを比較するよう構成され、
前記送信部は、前記受信電力と前記閾値との比較結果に応じて、前記受信電力を、前記直接的な通信及びセルラ通信用の無線リソースを制御する前記基地局へ通知するよう構成される無線端末。
【請求項２】
前記受信電力が前記閾値よりも大きい場合、前記送信部は、前記受信電力を前記基地局へ通知するよう構成される請求項１に記載の無線端末。
【請求項３】
前記受信電力が前記閾値よりも小さい場合、前記送信部は、前記受信電力を前記基地局へ通知することを止めるよう構成される請求項１に記載の無線端末。
【請求項４】
前記送信部は、前記他の無線端末の識別子とともに、前記受信電力を前記基地局へ通知するよう構成される請求項１に記載の無線端末。
【請求項５】
前記受信部は、前記基地局から前記閾値を受信するよう構成される請求項１に記載の無線端末。
【請求項６】
無線端末を制御するためのプロセッサであって、
基地局を介さない無線端末間での直接的な通信に用いられ且つ前記基地局から報知された無線リソースの中から、前記直接的な通信に用いる無線リソースを自律的に割り当てる処理と、
前記直接的な通信を行っている場合に、前記基地局を介さずに無線端末間で直接的に送受信される無線信号を他の無線端末から受信する処理と、
前記無線信号の受信電力と閾値とを比較する処理と、
前記受信電力と前記閾値との比較結果に応じて、前記受信電力を、前記直接的な通信及びセルラ通信用の無線リソースを制御する前記基地局へ通知する処理と、を実行するプロセッサ。
【発明の詳細な説明】
【技術分野】
【０００１】
本発明は、無線端末及びプロセッサに関する。
【背景技術】
【０００２】
近年、複数の無線端末の間でユーザデータ（Ｕｓｅｒ−Ｐｌａｎｅのデータ）の通信を、無線基地局を介さずに直接的に行う技術が提案されている（Ｄ２Ｄ通信）。複数の無線端末の間で直接的に行われるユーザデータの通信は、移動通信システムに割り当てられた無線リソースのうち、一部の無線リソースを用いて行われる。但し、Ｄ２Ｄ通信では、制御データ（Ｃ−Ｐｌａｎｅ）のデータの通信は、従来の移動通信システムと同様に、無線基地局を経由して行われる。
【先行技術文献】
【非特許文献】
【０００３】
【非特許文献１】３ＧＰＰ技術報告  「ＴＲ  ２２．８０３  Ｖ０．３．０」  ２０１２年５月
【発明の概要】
【０００４】
ここで、Ｄ２Ｄ通信を実現するためには、無線端末が他の無線端末を見つける必要がある。発明者らは、このような処理については、Ｄ２Ｄ通信だけではなくて、他の処理にも応用可能であることを見いだした。
【０００５】
一の実施形態に係る無線端末は、直接的な無線信号を他の無線端末から受信する受信部と、前記直接的な無線信号の受信電力と閾値とを比較する制御部と、前記受信電力と前記閾値との比較結果に応じて、前記受信電力をネットワークへ通知する送信部と、を備える。
【０００６】
一の実施形態に係るプロセッサは、無線端末を制御するためのプロセッサである。前記プロセッサは、直接的な無線信号を他の無線端末から受信する処理と、前記直接的な無線信号の受信電力と閾値とを比較する処理と、前記受信電力と前記閾値との比較結果に応じて、前記受信電力をネットワークへ通知する処理と、を実行する。
【図面の簡単な説明】
【０００７】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係る第１割当モードを示す図である。
【図６】図６は、第１実施形態に係る第２割当モードを示す図である。
【図７】図７は、第１実施形態に係るＵＥ１０Ａ（送信側端末）を示す図である。
【図８】図８は、第１実施形態に係るＵＥ１０Ｂ（受信側端末）を示す図である。
【図９】図９は、第１実施形態に係る無線基地局３１０を示す図である。
【図１０】図１０は、第１実施形態に係るスケジューリングの一例を示す図である。
【図１１】図１１は、第１実施形態に係るスケジューリングの一例を示す図である。
【図１２】図１２は、第１実施形態に係る移動通信システム１００の動作を示すシーケンス図である。
【図１３】図１３は、変更例１に係る移動通信システム１００の動作を示すシーケンス図である。
【図１４】図１４は、変更例２に係る移動通信システム１００の動作を示すシーケンス図である。
【図１５】図１５は、変更例３に係る移動通信システム１００の動作を示すシーケンス図である。
【図１６】図１６は、変更例４に係る移動通信システム１００の動作を示すシーケンス図である。
【図１７】図１７は、変更例５に係る移動通信システム１００の動作を示すシーケンス図である。
【図１８】図１８は、変更例６に係るＵＥ１０の分布の特定方法を説明するための図である。
【図１９】図１９は、変更例７に係るＵＥ１０の分布の特定方法を説明するための図である。
【図２０】図２０は、変更例８に係るＵＥ１０の分布の特定方法を説明するための図である。
【発明を実施するための形態】
【０００８】
以下において、本発明の実施形態に係る移動通信システムについて、図面を参照しながら説明する。なお、以下の図面の記載において、同一又は類似の部分には、同一又は類似の符号を付している。
【０００９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１０】
［実施形態の概要］
実施形態に係る移動通信システムは、複数の無線端末の間でユーザデータの通信を、無線基地局を介さずに直接的に行う。前記複数の無線端末の間で直接的に行われるユーザデータの通信は、移動通信システムに割り当てられた無線リソースのうち、一部の無線リソースを用いて行われている。前記複数の無線端末に含まれるＤ２Ｄ端末は、前記Ｄ２Ｄ端末の周辺に位置する周辺端末の識別子を前記無線基地局に通知し、或いは、前記周辺端末は、前記Ｄ２Ｄ端末の識別子を前記無線基地局に通知する。
【００１１】
実施形態では、Ｄ２Ｄ端末は、周辺端末の識別子を無線基地局に通知し、或いは、周辺端末は、Ｄ２Ｄ端末の識別子を無線基地局に通知する。従って、無線基地局は、Ｄ２Ｄ端末と周辺端末との相対的な位置関係を特定可能である。ひいては、無線基地局は、無線基地局によって管理されるセルに存在する無線端末の分布をある程度の精度で特定することが可能である。このような分布は、無線リソースのスケジューリング、ＳＯＮ（Ｓｅｌｆ  Ｏｒｇａｎｉｚｉｎｇ  Ｎｅｔｗｏｒｋ）又はＭＤＴ（Ｍｉｎｉｍｉｚａｔｉｏｎ  ｏｆ  Ｄｒｉｖｅ  Ｔｅｓｔｓ）に用いると有用である。
【００１２】
ここで、複数の無線端末の間で無線基地局を介さずに直接的に行われる通信は、Ｄ２Ｄ通信と称されることもある。Ｄ２Ｄ通信では、移動通信システムに割り当てられた無線リソースのうち、一部の無線リソース（Ｄ２Ｄ無線リソース）を用いて行われている。Ｄ２Ｄ無線リソースとしては、例えば、上りリンクの無線リソースの一部が用いられる。
【００１３】
また、Ｄ２Ｄ通信においてユーザデータの通信に用いる無線リソースは、無線基地局によって割当てられてもよく、無線端末（送信側端末又は受信側端末）によって割当てられてもよい。
【００１４】
また、第１実施形態において、前記Ｄ２Ｄ端末は、前記周辺端末の識別子とともに、前記周辺端末から送信される信号の受信電力を前記無線基地局に通知し、或いは、前記周辺端末は、前記Ｄ２Ｄ端末の識別子とともに、前記Ｄ２Ｄ端末から送信される信号の受信電力を前記無線基地局に通知する。
【００１５】
また、変更例１において、前記Ｄ２Ｄ端末は、前記無線基地局から受信する指示に応じて、前記周辺端末の識別子を前記無線基地局に通知し、或いは、前記周辺端末は、前記無線基地局から受信する指示に応じて、前記Ｄ２Ｄ端末の識別子を前記無線基地局に通知する。
【００１６】
また、変更例２において、前記Ｄ２Ｄ端末は、前記周辺端末から送信される信号の受信電力と閾値との比較結果に応じて、前記周辺端末から送信される信号の受信電力を前記無線基地局に通知し、或いは、前記周辺端末は、前記Ｄ２Ｄ端末から送信される信号の受信電力と閾値との比較結果に応じて、前記Ｄ２Ｄ端末から送信される信号の受信電力を前記無線基地局に通知する。
【００１７】
また、変更例２において、前記Ｄ２Ｄ端末は、前記周辺端末から送信される信号の受信電力と比較される閾値を前記無線基地局から通知され、或いは、前記周辺端末は、前記Ｄ２Ｄ端末から送信される信号の受信電力と比較される閾値を前記無線基地局から通知される。
【００１８】
また、変更例３において、前記Ｄ２Ｄ端末は、前記周辺端末の識別子を前記無線基地局に通知する周期を前記無線基地局から通知され、或いは、前記周辺端末は、前記Ｄ２Ｄ端末の識別子を前記無線基地局に通知する周期を前記無線基地局から通知される。
【００１９】
また、第１実施形態において、前記無線基地局又は前記無線基地局よりも上位のノードは、前記Ｄ２Ｄ端末から通知される前記周辺端末の識別子、或いは、前記周辺端末から通知される前記Ｄ２Ｄ端末の識別子に基づいて、前記無線基地局によって管理されるセルに存在する無線端末の分布を特定する。
【００２０】
また、変更例７において、前記無線基地局又は前記無線基地局よりも上位のノードは、前記Ｄ２Ｄ端末から通知される前記周辺端末の識別子及び前記周辺端末から送信される信号の受信電力、或いは、前記周辺端末から通知される前記Ｄ２Ｄ端末の識別子及び前記Ｄ２Ｄ端末から送信される信号の受信電力に基づいて、前記無線基地局によって管理されるセルに存在する無線端末の分布を特定する。
【００２１】
また、変更例６及び８において、前記無線基地局又は前記無線基地局よりも上位のノードは、前記Ｄ２Ｄ端末から通知される前記周辺端末の識別子及び前記Ｄ２Ｄ端末のタイミングアドバンス、或いは、前記周辺端末から通知される前記Ｄ２Ｄ端末の識別子及び前記周辺端末のタイミングアドバンスに基づいて、前記無線基地局によって管理されるセルに存在する無線端末の分布を特定する。
【００２２】
また、実施形態に係る移動通信システムは、複数の無線端末の間でユーザデータの通信を、無線基地局を介さずに直接的に行う。前記複数の無線端末の間で直接的に行われるユーザデータの通信は、移動通信システムに割り当てられた無線リソースのうち、一部の無線リソースを用いて行われている。前記無線基地局は、前記複数の無線端末に含まれるＤ２Ｄ端末から、前記Ｄ２Ｄ端末の周辺に位置する周辺端末の識別子、或いは、前記周辺端末から前記Ｄ２Ｄ端末の識別子を通知される。前記無線基地局は、前記周辺端末の識別子、或いは、前記Ｄ２Ｄ端末の識別子に基づいて、前記Ｄ２Ｄ端末に割当てるＤ２Ｄ端末無線リソース、又は、前記周辺端末に割当てる周辺端末無線リソースを制御する。
【００２３】
実施形態では、無線基地局は、周辺端末の識別子或いはＤ２Ｄ端末の識別子に基づいて、Ｄ２Ｄ端末に割当てるＤ２Ｄ端末無線リソース、又は、周辺端末に割当てる周辺端末無線リソースを制御する。従って、Ｄ２Ｄ端末が無線基地局を介さずに直接的に行う通信から、周辺端末によって行われる通信への干渉、或いは、周辺端末によって行われる通信から、Ｄ２Ｄ端末が無線基地局を介さずに直接的に行う通信への干渉を抑制することができる。
【００２４】
また、第１実施形態において、前記無線基地局は、前記Ｄ２Ｄ端末から、前記周辺端末の識別子とともに、前記周辺端末から送信される信号のＤ２Ｄ端末受信電力を通知され、或いは、前記周辺端末から前記Ｄ２Ｄ端末の識別子とともに、前記Ｄ２Ｄ端末から送信される信号の周辺端末受信電力を通知され、前記無線基地局は、前記周辺端末の識別子及び前記Ｄ２Ｄ端末受信電力、或いは、前記Ｄ２Ｄ端末の識別子及び前記周辺端末受信電力に基づいて、前記Ｄ２Ｄ端末無線リソース又は前記周辺端末無線リソースを制御する。
【００２５】
また、第１実施形態において、前記無線基地局は、前記Ｄ２Ｄ端末と前記周辺端末との距離が閾値よりも小さいと判断された場合に、前記Ｄ２Ｄ端末無線リソース及び前記周辺端末無線リソースが重複しないように、前記Ｄ２Ｄ端末無線リソース又は前記周辺端末無線リソースを制御する。
【００２６】
また、第１実施形態において、前記無線基地局は、前記Ｄ２Ｄ端末と前記周辺端末との距離が閾値よりも大きいと判断された場合に、前記Ｄ２Ｄ端末無線リソース及び前記周辺端末無線リソースが重複するように、前記Ｄ２Ｄ端末無線リソース又は前記周辺端末無線リソースを制御する。
【００２７】
また、第１実施形態において、前記周辺端末は、前記無線基地局を介して前記ユーザデータの通信を行っており、前記無線基地局は、前記無線基地局と前記Ｄ２Ｄ端末との間の距離よりも前記無線基地局と前記周辺端末との間の距離が長いと判断された場合に、前記Ｄ２Ｄ端末無線リソース及び前記周辺端末無線リソースが重複しないように、前記Ｄ２Ｄ端末無線リソース又は前記周辺端末無線リソースを制御する。
【００２８】
また、第１実施形態において、前記周辺端末は、前記無線基地局を介して前記ユーザデータの通信を行っており、前記無線基地局は、前記無線基地局と前記Ｄ２Ｄ端末との間の距離よりも前記無線基地局と前記周辺端末との間の距離が短いと判断された場合に、前記Ｄ２Ｄ端末無線リソース及び前記周辺端末無線リソースが重複するように、前記Ｄ２Ｄ端末無線リソース又は前記周辺端末無線リソースを制御する。
【００２９】
また、変形例５において、前記無線基地局は、前記無線基地局とは異なる他の無線基地局に対して、前記周辺端末の識別子、或いは、前記Ｄ２Ｄ端末の識別子を通知する。
【００３０】
また、変形例５において、前記無線基地局は、前記他の無線基地局に対して、前記周辺端末の識別子とともに、前記Ｄ２Ｄ端末受信電力を通知し、或いは、前記Ｄ２Ｄ端末の識別子とともに、前記周辺端末受信電力を通知する。
【００３１】
また、実施形態に係る移動通信方法は、複数の無線端末の間でユーザデータの通信を、無線基地局を介さずに直接的に行う移動通信システムで用いる移動通信方法である。前記複数の無線端末の間で直接的に行われるユーザデータの通信は、移動通信システムに割り当てられた無線リソースのうち、一部の無線リソースを用いて行われる。前記移動通信システムは、前記複数の無線端末に含まれるＤ２Ｄ端末から前記無線基地局に対して、前記Ｄ２Ｄ端末の周辺に位置する周辺端末の識別子を通知するステップ、或いは、前記周辺端末から前記無線基地局に対して、前記Ｄ２Ｄ端末の識別子を通知するステップを備える。
【００３２】
また、実施形態に係る移動通信方法は、前記無線基地局において、前記周辺端末の識別子、或いは、前記Ｄ２Ｄ端末の識別子に基づいて、前記Ｄ２Ｄ端末に割当てるＤ２Ｄ端末無線リソース、又は、前記周辺端末に割当てる周辺端末無線リソースを制御するステップをさらに備える。
【００３３】
［第１実施形態］
（移動通信システム）
以下において、第１実施形態に係る移動通信システムについて説明する。図１は、第１実施形態に係る移動通信システム１００を示す図である。
【００３４】
図１に示すように、移動通信システム１００は、無線端末１０（以下、ＵＥ１０）と、コアネットワーク５０とを含む。また、移動通信システム１００は、第１通信システムと第２通信システムとを含む。
【００３５】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００３６】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００３７】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００３８】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００３９】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００４０】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００４１】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００４２】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００４３】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００４４】
ＭＮＢ２１０Ａは、一般セル２１１Ａを管理しており、一般セル２１１Ａに存在するＵＥ１０と無線通信を行う装置（ＮｏｄｅＢ）である。
【００４５】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００４６】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００４７】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００４８】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４９】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００５０】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００５１】
なお、以下においては、第１通信システムについて主として説明する。但し、以下の記載が第２通信システムに適用されてもよい。
【００５２】
ここで、第１通信システムでは、下りリンクの多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上りリンクの多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００５３】
また、第１通信システムでは、上りリンクのチャネルとして、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下りリンクのチャネルとして、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下りリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００５４】
上りリンク制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００５５】
ＣＱＩは、下りリンクの伝送に使用すべき推奨変調方式と符号化率を通知する信号である。ＰＭＩは、下りリンクの伝送の為に使用することが望ましいプリコーディングマトリックスを示す信号である。ＲＩは、下りリンクの伝送に使用すべきレイヤ数（ストリーム数）を示す信号である。ＳＲは、上りリンク無線リソース（後述するリソースブロック）の割当てを要求する信号である。ＡＣＫ／ＮＡＣＫは、下りリンクのチャネル（例えば、ＰＤＳＣＨ）を介して送信される信号を受信できたか否かを示す信号である。
【００５６】
上りリンク共有チャネルは、制御信号（上述した制御信号を含む）又は／及びデータ信号を搬送するチャネルである。例えば、上りリンク無線リソースは、データ信号にのみ割当てられてもよく、データ信号及び制御信号が多重されるように割当てられてもよい。
【００５７】
下りリンク制御チャネルは、制御信号を搬送するチャネルである。制御信号は、例えば、Ｕｐｌｉｎｋ  Ｓｃｈｅｄｕｌｉｎｇ  Ｇｒａｎｎｔｓ、Ｄｏｗｎｌｉｎｋ  Ｓｃｈｅｄｕｌｉｎｇ  Ａｓｓｉｇｎｍｅｎｔｓ、ＴＰＣビットである。
【００５８】
Ｕｐｌｉｎｋ  ＳＩは、上りリンク無線リソースの割当てを示す信号である。Ｄｏｗｎｌｉｎｋ  ＳＩは、下りリンク無線リソースの割当てを示す信号である。ＴＰＣビットは、上りリンクのチャネルを介して送信される信号の電力の増減を指示する信号である。
【００５９】
下りリンク共有チャネルは、制御信号又は／及びデータ信号を搬送するチャネルである。例えば、下りリンク無線リソースは、データ信号にのみ割当てられてもよく、データ信号及び制御信号が多重されるように割当てられてもよい。
【００６０】
なお、下りリンク共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上りリンク信号に基づいてＭｅＮＢ１１０Ａによって測定される。
【００６１】
また、下りリンク制御チャネル（ＰＤＣＣＨ）、下りリンク共有チャネル（ＰＤＳＣＨ）以外のチャネルを介して送信される制御信号としては、ＡＣＫ／ＮＡＣＫが挙げられる。ＡＣＫ／ＮＡＣＫは、上りリンクのチャネル（例えば、ＰＵＳＣＨ）を介して送信される信号を受信できたか否かを示す信号である。
【００６２】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００６３】
ここで、図１では、特に図示していないが、第１通信システムは、ＭｅＮＢ１１０Ａ（又はＨｅＮＢ１１０Ｂ）とＵＥ１０との間のデータ通信を中継するリレーノードを有していてもよい。同様に、第２通信システムは、ＭＮＢ２１０Ａ（又はＨＮＢ２１０Ｂ）との間のデータ通信を中継するリレーノードを有していてもよい。
【００６４】
（無線フレーム）
以下において、第１通信システムにおける無線フレームについて説明する。図２は、第１通信システムにおける無線フレームを示す図である。
【００６５】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００６６】
なお、１つのスロットは、下りリンクにおいて、複数のＯＦＤＭシンボル（例えば、６つのＯＦＤＭシンボル或いは７つのＯＦＤＭシンボル）によって構成される。同様に、１つのスロットは、上りリンクにおいて、複数のＳＣ−ＦＤＭＡシンボル（例えば、６つのＳＣ−ＦＤＭＡシンボル或いは７つのＳＣ−ＦＤＭＡシンボル）によって構成される。
【００６７】
（無線リソース）
以下において、第１通信システムにおける無線リソースについて説明する。図３は、第１通信システムにおける無線リソースを示す図である。
【００６８】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００６９】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００７０】
また、無線リソースは、ＭｅＮＢ１１０Ａによって割当てられる。ＭｅＮＢ１１０Ａは、ＣＱＩ、ＰＭＩ、ＲＩなどに基づいて、各ＵＥ１０に割当てられる。
【００７１】
（適用ケース）
以下において、第１実施形態に係る適用ケースについて説明する。図４は、第１実施形態に係る適用ケースについて説明するための図である。図４では、ＵＥ１０として、ＵＥ１０Ａ及びＵＥ１０Ｂが示されている。無線基地局３１０は、ＭｅＮＢ１１０Ａ又はＨｅＮＢ１１０Ｂであることが好ましい。但し、無線基地局３１０は、ＭＮＢ２１０Ａ又はＨＮＢ２１０Ｂであってもよい。或いは、無線基地局３１０は、リレーノードであってもよい。ネットワーク装置３３０は、コアネットワーク５０に設けられる装置である。ネットワーク装置３３０は、ＭＭＥ１３０であってもよく、ＳＧＳＮ２３０であってもよい。
【００７２】
図４に示すように、複数のＵＥ１０の間でユーザデータ（Ｕｓｅｒ−Ｐｌａｎｅのデータ）の通信は、無線基地局を介さずに直接的に行われる（以下、Ｄ２Ｄ通信）。一方で、制御データ（Ｃ−Ｐｌａｎｅのデータ）の通信は、従来の移動通信システムと同様に、無線基地局３１０を経由して行われる。
【００７３】
ここで、Ｄ２Ｄ通信は、移動通信システムに割り当てられた無線リソースのうち、一部の無線リソース（以下、Ｄ２Ｄ無線リソース）を用いて行われる。Ｄ２Ｄ無線リソースとしては、例えば、上りリンクの無線リソースの一部が用いられる。Ｄ２Ｄ通信においてユーザデータの通信に用いる無線リソースは、無線基地局３１０によって割当てられてもよく、ＵＥ１０（送信側端末又は受信側端末）によって割当てられてもよい。
【００７４】
Ｄ２Ｄ無線リソースは、例えば、無線基地局３１０によって管理される各セルから報知されることが好ましい。Ｄ２Ｄ無線リソースは、例えば、（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）に含まれてもよい。
【００７５】
ここで、各ＵＥ１０は、Ｄ２Ｄ通信を行うことが可能な周辺端末を検知するための信号（以下、Ｄｉｓｃｏｖｅｒｙ信号）を所定電力で報知する。一方で、周辺端末は、Ｄｉｓｃｏｖｅｒｙ信号に対する応答信号（以下、Ｄｉｓｃｏｖｅｒｙ応答）を所定電力で報知する。Ｄｉｓｃｏｖｅｒｙ信号は、Ｄｉｓｃｏｖｅｒｙ信号の送信元の識別子（ＵＥ１０の識別子）を含む。Ｄｉｓｃｏｖｅｒｙ応答は、Ｄｉｓｃｏｖｅｒｙ応答の送信元の識別子（周辺端末の識別子）を含む。
【００７６】
（第１割当モード）
以下において、第１実施形態に係る第１割当モードについて説明する。図５は、第１実施形態に係る第１割当モードについて説明するための図である。図５では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。実施形態では、主として第２割当モードが用いられるケースについて説明するが、第１割当モードが用いられる利用シーンが存在していてもよい。
【００７７】
図５に示すように、第１割当モードでは、Ｄ２Ｄ通信においてユーザデータの通信に用いる無線リソースをＵＥ１０（ＵＥ１０Ａ又はＵＥ１０Ｂ）が割り当てる。詳細には、ＵＥ１０（ＵＥ１０Ａ又はＵＥ１０Ｂ）は、無線基地局３１０によって管理される各セルから報知されるＤ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する（リソース割当）。
【００７８】
ＵＥ１０は、割当てられた無線リソースを他のＵＥ１０に直接的に通知してもよいし、コアネットワークを経由しないが無線基地局３１０を経由して他のＵＥ１０に通知してもよい。
【００７９】
ＵＥ１０Ａは、割当てられた無線リソースを用いて、ユーザデータをＵＥ１０Ｂに送信する。同様に、ＵＥ１０Ｂは、割当てられた無線リソースを用いて、ユーザデータをＵＥ１０Ａから受信する。
【００８０】
（第２割当モード）
以下において、第１実施形態に係る第２割当モードについて説明する。図６は、第１実施形態に係る第２割当モードについて説明するための図である。図６では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００８１】
図６に示すように、第２割当モードでは、Ｄ２Ｄ通信においてユーザデータの通信に用いる無線リソースを無線基地局３１０が割り当てる。詳細には、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する（リソース割当）。
【００８２】
ＵＥ１０Ａは、割当てられた無線リソースを用いて、ユーザデータをＵＥ１０Ｂに送信する。同様に、ＵＥ１０Ｂは、割当てられた無線リソースを用いて、ユーザデータをＵＥ１０Ａから受信する。
【００８３】
詳細には、無線基地局３１０は、Ｄ２Ｄ通信の開始前において、Ｄ２Ｄ通信で用いるユーザデータの目標受信電力をＵＥ１０Ａ及びＵＥ１０Ｂに通知する。無線基地局３１０は、ＳＩＢなどの報知チャネルを用いて、目標受信電力を報知してもよく、ＰＤＣＣＨなどの個別制御チャネルを用いて、目標受信電力をＵＥ１０Ａ及びＵＥ１０Ｂに送信してもよい。目標受信電力は、”Ｄ２Ｄ用Ｎｏｍｉｎａｌ  Ｐｏｗｅｒ”とも称する。
【００８４】
実施形態において、無線基地局３１０は、Ｄ２Ｄ通信で用いる無線リソースの割当情報をＵＥ１０Ａ（送信側端末）に通知する。Ｄ２Ｄ通信が上りリンクの無線リソースを用いて行われる場合には、無線リソースの割当情報は、セルラ通信で用いる既存の上りリンクのスケジューリング情報である。送信部３１４は、ＰＤＣＣＨなどの個別制御チャネルを用いて、上りリンクのスケジューリング情報をＵＥ１０Ａに送信する。上りリンクのスケジューリング情報は、”Ｕｐｌｉｎｋ  Ｓｃｈｅｄｕｌｉｎｇ  Ｇｒａｎｔ”とも称する。但し、上りリンクのスケジューリング情報は、以下に示すように拡張されていることに留意すべきである。
【００８５】
ここで、上りリンクのスケジューリング情報は、ＵＥ１０Ａに割当てる上りリンクの無線リソースを示す情報、ＵＥ１０Ａから送信されたユーザデータを受信することができたか否かを示す送達確認信号が無線基地局３１０を経由して通知されるか否かを示す情報、Ｄ２Ｄ通信で用いる電力制御方法を示す情報、及び、ＵＥ１０Ａから送信されたユーザデータをＵＥ１０Ｂが受信する受信電力を示す情報のうち、少なくともいずれか１つの情報を含む。
【００８６】
実施形態において、無線基地局３１０は、Ｄ２Ｄ通信で用いる無線リソースの割当情報をＵＥ１０Ｂ（受信側端末）に通知する。Ｄ２Ｄ通信が上りリンクの無線リソースを用いて行われる場合には、無線リソースの割当情報は、セルラ通信で用いる既存の上りリンクのスケジューリング情報とは異なるＤ２Ｄスケジューリング情報である。Ｄ２Ｄスケジューリング情報は、Ｄ２Ｄ通信で用いるスケジューリング情報であることに留意すべきである。無線基地局３１０は、ＰＤＣＣＨなどの個別制御チャネルを用いて、Ｄ２Ｄスケジューリング情報をＵＥ１０Ｂに送信する。Ｄ２Ｄスケジューリング情報は、”Ｄ２Ｄ  ｓｃｈｅｄｕｌｉｎｇ  Ｇｒａｎｔｓ”とも称する。
【００８７】
ここで、Ｄ２Ｄスケジューリング情報は、Ｄ２Ｄ通信の受信リソースとして上りリンクの無線リソースを用いることを示す情報、ＵＥ１０Ａの識別子、ＵＥ１０Ａに割当てる上りリンクの無線リソースを示す情報、ＵＥ１０Ａから送信されたユーザデータを受信することができたか否かを示す送達確認信号が無線基地局３１０を経由して通知されるか否かを示す情報、及び、Ｄ２Ｄ通信で用いる電力制御方法を示す情報のうち、少なくともいずれか１つの情報を含む。
【００８８】
但し、無線基地局３１０は、上りリンクのスケジューリング情報及びＤ２Ｄスケジューリング情報を使い分けなくても、ＵＥ１０Ａ及びＵＥ１０Ｂに共通するＲＮＴＩを用いることによって、１つの制御信号によって、ＵＥ１０Ａ及びＵＥ１０Ｂに対して一括で無線リソースを割当ててもよい。
【００８９】
（送信側端末）
以下において、第１実施形態に係る送信側端末について説明する。ここでは、送信側端末として、ＵＥ１０Ａを例示する。図７は、第１実施形態に係るＵＥ１０Ａを示すブロック図である。
【００９０】
図７に示すように、ＵＥ１０Ａは、受信部１３Ａと、送信部１４Ａと、制御部１５Ａとを有する。
【００９１】
受信部１３Ａは、無線基地局３１０と行われる通信（以下、セルラ通信）において、無線基地局３１０からデータを受信する。受信部１３Ａは、Ｄ２Ｄ通信において、ＵＥ１０Ｂからデータを受信する。例えば、受信部１３Ａは、Ｄ２Ｄ通信において、ユーザデータを受信できたか否かを示す送達確認信号（ＡＣＫ／ＮＡＣＫ）をＵＥ１０Ｂから受信してもよい。受信部１３Ａは、Ｄ２Ｄ通信において、無線基地局３１０を経由して送達確認信号を受信してもよい。
【００９２】
実施形態において、受信部１３Ａは、ＵＥ１０Ａの周辺に位置する周辺端末からＤｉｓｃｏｖｅｒｙ応答を受信する。上述したように、Ｄｉｓｃｏｖｅｒｙ応答の送信元（周辺端末）の識別子を含む。
【００９３】
送信部１４Ａは、セルラ通信において、無線基地局３１０にデータを送信する。送信部１４Ａは、Ｄ２Ｄ通信において、ＵＥ１０Ｂにデータを送信する。例えば、送信部１４Ａは、Ｄ２Ｄ通信において、ユーザデータをＵＥ１０Ｂに送信する。また、送信部１４Ａは、制御部１５Ａから出力される指示に応じて、ユーザデータをＵＥ１０Ｂに再送する。
【００９４】
第１実施形態において、送信部１４Ａは、ユーザデータの直接的な通信を制御するためのＤ２Ｄ制御信号を無線基地局３１０に送信してもよい。
【００９５】
Ｄ２Ｄ制御信号は、例えば、第１割当モードと第２割当モードとの切り替えを要求する信号、ユーザデータの通信に用いる送信電力が閾値を上回ったことを示す信号、ユーザデータの通信に用いる送信電力が閾値を下回ったことを示す信号、ユーザデータの通信に用いる変調符号化方式が閾値を下回ったことを示す信号、及び、ユーザデータの通信に用いる変調符号化方式が閾値を上回ったことを示す信号のうち、少なくともいずれか１つである。
【００９６】
実施形態において、送信部１４Ａは、Ｄｉｓｃｏｖｅｒｙ信号を所定電力で送信する。Ｄｉｓｃｏｖｅｒｙ信号は、上述したように、Ｄｉｓｃｏｖｅｒｙ信号の送信元（ＵＥ１０Ａ）の識別子を含む。また、送信部１４Ａは、Ｄｉｓｃｏｖｅｒｙ応答の受信に応じて、周辺端末の識別子を無線基地局３１０に送信する。送信部１４Ａは、周辺端末の識別子とともに、周辺端末から送信される信号（例えば、Ｄｉｓｃｏｖｅｒｙ応答）の受信電力を示す情報を無線基地局３１０に送信してもよい。周辺端末から送信される信号の受信電力は、ＵＥ１０Ａで測定されることは勿論である。
【００９７】
制御部１５Ａは、ＵＥ１０Ａを制御する。具体的には、制御部１５Ａは、ＵＥ１０ＡとＵＥ１０Ｂとの間で直接的に行われるユーザデータの通信状態の変化を判断する。
【００９８】
ここで、通信状態が改善したと判断されるケースは、ユーザデータの通信に用いる送信電力が閾値を下回ったケース、又は、ユーザデータの通信に用いる変調符号化方式が閾値を上回ったケースである。或いは、通信状態が改善したと判断されるケースは、ブロックエラーレートが閾値を下回ったケース、パケットエラーレートが閾値を下回ったケース、所定のＱｏＳが満たされたケース、ＣＱＩが閾値を上回ったケース、ＵＥ１０Ａの処理負荷が閾値を下回ったケースであってもよい。
【００９９】
また、通信状態が悪化したと判断されるケースは、ユーザデータの通信に用いる送信電力が閾値を上回ったケース、又は、ユーザデータの通信に用いる変調符号化方式が閾値を下回ったケースである。或いは、通信状態が悪化したと判断されるケースは、ブロックエラーレートが閾値を上回ったケース、パケットエラーレートが閾値を上回ったケース、所定のＱｏＳが満たされなくなったケース、ＣＱＩが閾値を下回ったケース、ＵＥ１０Ａの処理負荷が閾値を上回ったケースであってもよい。
【０１００】
ここで、制御部１５Ａは、通信状態が悪化したと判断された場合に、Ｄ２Ｄ制御信号の送信を送信部１４Ａに指示する。制御部１５Ａは、通信状態が改善したと判断された場合に、Ｄ２Ｄ制御信号の送信を送信部１４Ａに指示する。
【０１０１】
第１実施形態において、通信状態が悪化したと判断された場合には、Ｄ２Ｄ制御信号の送信によって、割当モードが第１割当モードから第２割当モードに切り替えられる。一方で、通信状態が改善したと判断された場合には、Ｄ２Ｄ制御信号の送信によって、割当モードが第２割当モードから第１割当モードに切り替えられる。
【０１０２】
（受信側端末）
以下において、第１実施形態に係る受信側端末について説明する。ここでは、送信側端末として、ＵＥ１０Ｂを例示する。図８は、第１実施形態に係るＵＥ１０Ｂを示すブロック図である。
【０１０３】
図８に示すように、ＵＥ１０Ｂは、受信部１３Ｂと、送信部１４Ｂと、制御部１５Ｂとを有する。
【０１０４】
受信部１３Ｂは、セルラ通信において、無線基地局３１０からデータを受信する。受信部１３Ｂは、Ｄ２Ｄ通信において、ＵＥ１０Ａからデータを受信する。例えば、受信部１３Ｂは、Ｄ２Ｄ通信において、ＵＥ１０Ａから送信されたユーザデータ（初送）を受信する。また、送信部１４Ａは、ＵＥ１０Ａから再送されたユーザデータ（再送）を受信する。
【０１０５】
実施形態において、受信部１３Ｂは、ＵＥ１０Ｂの周辺に位置する周辺端末からＤｉｓｃｏｖｅｒｙ応答を受信する。上述したように、Ｄｉｓｃｏｖｅｒｙ応答の送信元（周辺端末）の識別子を含む。
【０１０６】
送信部１４Ｂは、セルラ通信において、無線基地局３１０にデータを送信する。送信部１４Ｂは、Ｄ２Ｄ通信において、ＵＥ１０Ａにデータを送信する。例えば、送信部１４Ｂは、ユーザデータを受信できたか否かを示す送達確認信号（ＡＣＫ／ＮＡＣＫ）をＵＥ１０Ａに送信してもよい。送信部１４Ｂは、Ｄ２Ｄ通信におけるユーザデータに対する送達確認信号（ＡＣＫ／ＮＡＣＫ）を無線基地局３１０に送信してもよい。
【０１０７】
実施形態において、送信部１４Ｂは、ユーザデータの直接的な通信を制御するためのＤ２Ｄ制御信号を無線基地局３１０に送信してもよい。ここで、Ｄ２Ｄ制御信号は、ＵＥ１０Ａ及びＵＥ１０Ｂの少なくともいずれか一方から無線基地局３１０に送信されればよい。
【０１０８】
実施形態において、送信部１４Ｂは、Ｄｉｓｃｏｖｅｒｙ信号を所定電力で送信する。Ｄｉｓｃｏｖｅｒｙ信号は、上述したように、Ｄｉｓｃｏｖｅｒｙ信号の送信元（ＵＥ１０Ｂ）の識別子を含む。また、送信部１４Ｂは、Ｄｉｓｃｏｖｅｒｙ応答の受信に応じて、周辺端末の識別子を無線基地局３１０に送信する。送信部１４Ｂは、周辺端末の識別子とともに、周辺端末から送信される信号（例えば、Ｄｉｓｃｏｖｅｒｙ応答）の受信電力を示す情報を無線基地局３１０に送信してもよい。周辺端末から送信される信号の受信電力は、ＵＥ１０Ｂで測定されることは勿論である。
【０１０９】
制御部１５Ｂは、ＵＥ１０Ｂを制御する。例えば、制御部１５Ｂは、制御部１５Ａと同様に、ＵＥ１０ＡとＵＥ１０Ｂとの間で直接的に行われるユーザデータの通信状態の変化を判断する。制御部１５Ｂは、制御部１５Ａと同様に、通信状態が悪化したと判断された場合に、Ｄ２Ｄ制御信号の送信を送信部１４Ｂに指示する。或いは、制御部１５Ｂは、制御部１５Ａと同様に、通信状態が改善したと判断された場合に、Ｄ２Ｄ制御信号の送信を送信部１４Ｂに指示する。
【０１１０】
上述したように、通信状態が悪化したと判断された場合には、Ｄ２Ｄ制御信号の送信によって、割当モードが第１割当モードから第２割当モードに切り替えられる。一方で、通信状態が改善したと判断された場合には、Ｄ２Ｄ制御信号の送信によって、割当モードが第２割当モードから第１割当モードに切り替えられる。
【０１１１】
（無線基地局）
以下において、第１実施形態に係る無線基地局について説明する。図９は、第１実施形態に係る無線基地局３１０を示すブロック図である。
【０１１２】
図９に示すように、無線基地局３１０は、受信部３１３と、送信部３１４と、制御部３１５とを有する。
【０１１３】
受信部３１３は、ＵＥ１０からデータを受信する。例えば、受信部３１３は、Ｄ２Ｄ通信において、ユーザデータを受信できたか否かを示す送達確認信号（ＡＣＫ／ＮＡＣＫ）をＵＥ１０Ｂから受信する。また、受信部３１３は、ＵＥ１０ＡからＵＥ１０Ｂに送信されたユーザデータを受信してもよい。
【０１１４】
実施形態において、受信部３１３は、Ｄ２Ｄ制御信号を、ＵＥ１０（ＵＥ１０Ａ又はＵＥ１０Ｂ）から受信する。また、受信部３１３は、ＵＥ１０（ＵＥ１０Ａ又はＵＥ１０Ｂ）の周辺に位置する周辺端末の識別子を受信する。受信部３１３は、周辺端末の識別子とともに、周辺端末から送信される信号（例えば、Ｄｉｓｃｏｖｅｒｙ応答）の受信電力を示す情報を受信してもよい。周辺端末から送信される信号の受信電力は、ＵＥ１０（ＵＥ１０Ａ又はＵＥ１０Ｂ）で測定されることは勿論である。
【０１１５】
送信部３１４は、ＵＥ１０からデータを受信する。例えば、送信部３１４は、Ｄ２Ｄ通信において、送達確認信号（ＡＣＫ／ＮＡＣＫ）をＵＥ１０Ｂから受信する場合には、送達確認信号（ＡＣＫ／ＮＡＣＫ）に応じて、送達確認信号をＵＥ１０Ａに送信する。例えば、送信部３１４は、ＵＥ１０Ｂから受信する送達確認信号をＵＥ１０Ａに中継してもよい。或いは、送信部３１４は、Ｄ２Ｄ通信においてユーザデータの通信に用いる無線リソースをＵＥ１０Ａに割り当てる信号とともに、送達確認信号をＵＥ１０Ａに送信してもよい。
【０１１６】
制御部３１５は、無線基地局３１０を制御する。具体的には、制御部３１５は、アップリンク及びダウンリンクの無線リソースをＵＥ１０に割当てる。ここで、制御部３１５は、ＵＥ１０ＡとＵＥ１０Ｂとの間で直接的に行われるユーザデータの通信に割当てられた無線リソースを、ユーザデータを受信するための受信リソースとして割当ててもよい。これによって、無線基地局３１０は、ＵＥ１０ＡとＵＥ１０Ｂとの間で直接的に行われるユーザデータを受信することが可能である。
【０１１７】
第１実施形態において、制御部３１５は、Ｄ２Ｄ制御信号に応じて、第１割当モードと第２割当モードとを切り替える。例えば、制御部３１５は、ＵＥ１０ＡとＵＥ１０Ｂとの間で直接的に行われるユーザデータの通信状態が悪化した旨を示すＤ２Ｄ制御信号の受信に応じて、割当モードを第１割当モードから第２割当モードに切り替える。すなわち、制御部３１５は、ＵＥ１０Ａ及びＵＥ１０Ｂに対して、Ｄ２Ｄ通信においてユーザデータを受信するための無線リソースを割り当てる。
【０１１８】
一方で、制御部３１５は、ＵＥ１０ＡとＵＥ１０Ｂとの間で直接的に行われるユーザデータの通信状態が改善した旨を示すＤ２Ｄ制御信号の受信に応じて、割当モードを第２割当モードから第１割当モードに切り替える。すなわち、制御部３１５は、Ｄ２Ｄ通信においてユーザデータを受信するための無線リソースの割当に関与しない。
【０１１９】
実施形態において、制御部３１５は、第２割当モードにおいて、ＵＥ１０（ＵＥ１０Ａ又はＵＥ１０Ｂ）から受信する周辺端末の識別子に基づいて、ＵＥ１０に割当てるＤ２Ｄ無線リソース、又は、周辺端末に割当てる周辺端末無線リソースを割当てる。制御部３１５は、第２割当モードにおいて、周辺端末から送信される信号（例えば、Ｄｉｓｃｏｖｅｒｙ応答）の受信電力及び周辺端末の識別子に基づいて、ＵＥ１０に割当てるＤ２Ｄ無線リソース、又は、周辺端末に割当てる周辺端末無線リソースを割当ててもよい。
【０１２０】
具体的には、制御部３１５は、ＵＥ１０（Ｄ２Ｄ端末）と周辺端末との距離が閾値よりも小さいと判断された場合に、Ｄ２Ｄ端末無線リソース及び周辺端末無線リソースが重複しないように、Ｄ２Ｄ端末無線リソース又は周辺端末無線リソースを制御する。
【０１２１】
ここで、制御部３１５は、周辺端末の識別子を受信した場合に、ＵＥ１０と周辺端末との距離が閾値よりも小さいと判断してもよい。或いは、制御部３１５は、周辺端末の識別子を受信し、かつ、周辺端末から送信される信号（例えば、Ｄｉｓｃｏｖｅｒｙ応答）の受信電力が閾値よりも大きい場合に、ＵＥ１０と周辺端末との距離が閾値よりも小さいと判断してもよい。
【０１２２】
或いは、制御部３１５は、周辺端末がＤ２Ｄ通信を行っているケースにおいて、ＵＥ１０（Ｄ２Ｄ端末）と周辺端末との距離が閾値よりも大きいと判断された場合に、Ｄ２Ｄ端末無線リソース及び周辺端末無線リソースが重複するように、Ｄ２Ｄ端末無線リソース又は周辺端末無線リソースを制御する。
【０１２３】
ここで、制御部３１５は、周辺端末の識別子を受信しなかった場合に、ＵＥ１０と周辺端末との距離が閾値よりも大きいと判断してもよい。或いは、制御部３１５は、周辺端末の識別子を受信し、かつ、周辺端末から送信される信号（例えば、Ｄｉｓｃｏｖｅｒｙ応答）の受信電力が閾値よりも小さい場合に、ＵＥ１０と周辺端末との距離が閾値よりも大きいと判断してもよい。
【０１２４】
或いは、制御部３１５は、周辺端末がセルラ通信を行っているケースにおいて、ＵＥ１０（Ｄ２Ｄ端末）と無線基地局３１０との間の距離よりも周辺端末と無線基地局３１０との間の距離が長いと判断された場合に、Ｄ２Ｄ端末無線リソース及び周辺端末無線リソースが重複しないように、Ｄ２Ｄ端末無線リソース又は周辺端末無線リソースを制御する。
【０１２５】
或いは、制御部３１５は、周辺端末がセルラ通信を行っているケースにおいて、ＵＥ１０（Ｄ２Ｄ端末）と無線基地局３１０との間の距離よりも周辺端末と無線基地局３１０との間の距離が短いと判断された場合に、Ｄ２Ｄ端末無線リソース及び周辺端末無線リソースが重複するように、Ｄ２Ｄ端末無線リソース又は周辺端末無線リソースを制御してもよい。
【０１２６】
（スケジューリング例）
以下において、第１実施形態に係るスケジューリング例について説明する。図１０〜図１１は、第１実施形態に係るスケジューリング例を説明するための図である。
【０１２７】
第１に、図１０に示すように、ＵＥ１０１及びＵＥ１０２がＤ２Ｄ通信を行っており、ＵＥ１０３及びＵＥ１０４が別なＤ２Ｄ通信を行っており、ＵＥ１０５がセルラ通信を行っているケースについて説明する。
【０１２８】
このようなケースにおいて、ＵＥ１０１（Ｄ２Ｄ端末）とＵＥ１０５（周辺端末）との距離が閾値よりも小さいため、無線基地局３１０は、ＵＥ１０１（Ｄ２Ｄ端末）に割当てる無線リソース（ＲＢ２）及びＵＥ１０５（周辺端末）に割当てる無線リソース（ＲＢ１）が重複しないように、無線リソースを制御する。
【０１２９】
また、ＵＥ１０２（Ｄ２Ｄ端末）とＵＥ１０３（周辺端末）との距離が閾値よりも小さいため、無線基地局３１０は、ＵＥ１０２（Ｄ２Ｄ端末）に割当てる無線リソース（ＲＢ２）及びＵＥ１０３（周辺端末）に割当てる無線リソース（ＲＢ１）が重複しないように、無線リソースを制御する。
【０１３０】
但し、ＵＥ１０３（Ｄ２Ｄ端末）或いはＵＥ１０４（Ｄ２Ｄ端末）とＵＥ１０５（周辺端末）との距離が閾値よりも大きいため、無線基地局３１０は、ＵＥ１０３及びＵＥ１０４（Ｄ２Ｄ端末）に割当てる無線リソース（ＲＢ１）及びＵＥ１０５（周辺端末）に割当てる無線リソース（ＲＢ１）が重複するように、無線リソースを制御してもよい。
【０１３１】
第２に、図１１に示すように、ＵＥ１０１及びＵＥ１０２がＤ２Ｄ通信を行っており、ＵＥ１０３がセルラ通信を行っており、ＵＥ１０４及びＵＥ１０５が別なＤ２Ｄ通信を行っており、ＵＥ１０６がセルラ通信を行っているケースについて説明する。
【０１３２】
このようなケースにおいて、ＵＥ１０１及びＵＥ１０２（Ｄ２Ｄ端末）と無線基地局３１０との間の距離よりもＵＥ１０３（周辺端末）と無線基地局３１０との間の距離が短いため、無線基地局３１０は、ＵＥ１０１及びＵＥ１０２（Ｄ２Ｄ端末）に割当てる無線リソース及びＵＥ１０３（周辺端末）に割当てる無線リソース（ＲＢ１）が重複するように、無線リソースを制御してもよい。
【０１３３】
このようなケースでは、ＵＥ１０３（周辺端末）の通信で用いる送信電力が小さいことが想定されるため、上述した無線リソースの制御を行っても、ＵＥ１０１及びＵＥ１０２の通信（Ｄ２Ｄ通信）とＵＥ１０３（周辺端末）の通信（セルラ通信）との間の干渉が抑制されると考えられる。
【０１３４】
一方で、ＵＥ１０４及びＵＥ１０５（Ｄ２Ｄ端末）と無線基地局３１０との間の距離よりもＵＥ１０６（周辺端末）と無線基地局３１０との間の距離が長いため、無線基地局３１０は、ＵＥ１０４及びＵＥ１０５（Ｄ２Ｄ端末）に割当てる無線リソース及びＵＥ１０６（周辺端末）に割当てる無線リソース（ＲＢ１）が重複しないように、無線リソースを制御する。
【０１３５】
このようなケースでは、ＵＥ１０６（周辺端末）の通信で用いる送信電力が大きいことが想定されるが、上述した無線リソースの制御によって、ＵＥ１０４及びＵＥ１０５の通信（Ｄ２Ｄ通信）とＵＥ１０６（周辺端末）の通信（セルラ通信）との間の干渉が抑制される。
【０１３６】
（移動通信方法）
以下において、第１実施形態に係る移動通信方法について説明する。図１２は、第１実施形態に係る移動通信方法を示す図である。なお、図１２では、第２割当モードが用いられていることに留意すべきである。
【０１３７】
図１２に示すように、ステップ１０において、ＵＥ１０は、ＵＥ１０の周辺に位置する周辺端末を検知する。例えば、ＵＥ１０は、Ｄ２Ｄ通信を行うことが可能な周辺端末を検知するための信号（Ｄｉｓｃｏｖｅｒｙ信号）を所定電力で報知する。Ｄｉｓｃｏｖｅｒｙ信号は、送信元の識別子を含む。
【０１３８】
ＵＥ１０は、周辺端末が存在していれば、Ｄｉｓｃｏｖｅｒｙ信号に対する応答として、Ｄｉｓｃｏｖｅｒｙ応答を周辺端末から受信する。Ｄｉｓｃｏｖｅｒｙ応答は、送信元（すなわち、周辺端末）の識別子を含む。
【０１３９】
ステップ２０において、ＵＥ１０は、周辺端末の識別子を無線基地局３１０に送信する。ＵＥ１０は、周辺端末の識別子とともに、周辺端末から送信される信号（例えば、Ｄｉｓｃｏｖｅｒｙ応答）の受信電力を示す情報を無線基地局３１０に送信してもよい。
【０１４０】
ステップ３０において、無線基地局３１０は、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１４１】
（作用及び効果）
第１実施形態では、ＵＥ１０（Ｄ２Ｄ端末）は、周辺端末の識別子を無線基地局３１０に通知し、ひいては、無線基地局３１０は、無線基地局３１０によって管理されるセルに存在するＵＥ１０の分布をある程度の精度で特定することが可能である。このような分布は、無線リソースのスケジューリング、ＳＯＮ（Ｓｅｌｆ  Ｏｒｇａｎｉｚｉｎｇ  Ｎｅｔｗｏｒｋ）又はＭＤＴ（Ｍｉｎｉｍｉｚａｔｉｏｎ  ｏｆ  Ｄｒｉｖｅ  Ｔｅｓｔｓ）に用いると有用である。
【０１４２】
また、無線基地局３１０は、周辺端末の識別子に基づいて、ＵＥ１０（Ｄ２Ｄ端末）に割当てるＤ２Ｄ端末無線リソース、又は、周辺端末に割当てる周辺端末無線リソースを制御する。従って、Ｄ２Ｄ通信から周辺端末によって行われる通信への干渉、或いは、周辺端末によって行われる通信からＤ２Ｄ通信への干渉を抑制することができる。
【０１４３】
［変更例１］
以下において、第１実施形態の変更例１について説明する。変更例１において、周辺端末から送信される信号（例えば、Ｄｉｓｃｏｖｅｒｙ応答）の受信電力の通知要否が無線基地局３１０によって指定される。すなわち、無線基地局３１０は、ＵＥ１０が周辺端末から送信される信号の受信電力の通知を行うか否かを指定する。
【０１４４】
変更例１では、ＵＥ１０は、デフォルトの動作として、周辺端末から送信される信号（例えば、Ｄｉｓｃｏｖｅｒｙ応答）の受信電力を無線基地局３１０に通知するように構成又は設定されている。
【０１４５】
具体的には、図１３に示すように、ステップ１１０において、ＵＥ１０は、ＵＥ１０の周辺に位置する周辺端末を検知する。具体的には、ＵＥ１０は、Ｄ２Ｄ通信を行うことが可能な周辺端末を検知するための信号（Ｄｉｓｃｏｖｅｒｙ信号）を所定電力で報知する。ＵＥ１０は、周辺端末が存在していれば、Ｄｉｓｃｏｖｅｒｙ信号に対する応答として、Ｄｉｓｃｏｖｅｒｙ応答を周辺端末から受信する。
【０１４６】
ステップ１２０において、無線基地局３１０は、受信電力の通知が不要である旨をＵＥ１０に通知する（通知ＯＦＦ要求）。例えば、無線基地局３１０は、受信電力の通知に伴うオーバヘッド（無線リソースの消費）を抑制する場合に、通知ＯＦＦ要求をＵＥ１０に通知する。オーバヘッドを抑制するケースは、例えば、受信電力の通知が大量に発生することが想定されるケースなどである。通知ＯＦＦ要求は、例えば、ＳＩＢなどの報知チャネルを用いて送信される。
【０１４７】
ステップ１３０において、ＵＥ１０は、周辺端末の識別子を無線基地局３１０に送信する。但し、ＵＥ１０は、周辺端末から送信される信号（例えば、Ｄｉｓｃｏｖｅｒｙ応答）の受信電力を示す情報を無線基地局３１０に送信しない。
【０１４８】
ステップ１４０において、無線基地局３１０は、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１４９】
なお、無線基地局３１０は、通知ＯＦＦ要求をＵＥ１０に通知した後、例えば、無線リソースの使用率が閾値を下回った場合に、受信電力の通知を要求する旨をＵＥ１０に通知する（通知ＯＮ要求）してもよい。
【０１５０】
［変更例２］
以下において、第１実施形態の変更例２について説明する。変更例２において、ＵＥ１０は、周辺端末から送信される信号（例えば、Ｄｉｓｃｏｖｅｒｙ応答）の受信電力と閾値との比較結果に応じて、受信電力を無線基地局３１０に通知する。例えば、ＵＥ１０は、受信電力が閾値よりも大きい場合に、受信電力を無線基地局３１０に通知する。一方で、ＵＥ１０は、受信電力が閾値よりも小さい場合に、受信電力を無線基地局３１０に通知しない。
【０１５１】
ここで、ＵＥ１０は、受信電力が閾値よりも大きい場合に、周辺端末の識別子を無線基地局３１０に通知してもよい。一方で、ＵＥ１０は、受信電力が閾値よりも小さい場合に、周辺端末の識別子を無線基地局３１０に通知しなくてもよい。
【０１５２】
また、受信電力と比較される閾値は、無線基地局３１０からＵＥ１０に通知される。閾値は、ＳＩＢなどの報知チャネルを用いて報知されてもよく、ＰＤＣＣＨなどの個別制御チャネルを用いてＵＥ１０に送信されてもよい。
【０１５３】
具体的には、図１４に示すように、ステップ２１０において、無線基地局３１０は、周辺端末から送信される信号（例えば、Ｄｉｓｃｏｖｅｒｙ応答）の受信電力と比較される閾値をＵＥ１０に通知する。
【０１５４】
なお、無線基地局３１０は、閾値に加えて、当該閾値のオフセット値及び／又は受信電力が閾値よりも大きいか否かをＵＥ１０が判断する時間の範囲を示す判断時間範囲（ＴｉｍｅＴｏＴｒｉｇｇｅｒ）をＵＥ１０に通知してもよい。
【０１５５】
ステップ２２０において、ＵＥ１０は、ＵＥ１０の周辺に位置する周辺端末を検知する。具体的には、ＵＥ１０は、Ｄ２Ｄ通信を行うことが可能な周辺端末を検知するための信号（Ｄｉｓｃｏｖｅｒｙ信号）を所定電力で報知する。ＵＥ１０は、周辺端末が存在していれば、Ｄｉｓｃｏｖｅｒｙ信号に対する応答として、Ｄｉｓｃｏｖｅｒｙ応答を周辺端末から受信する。
【０１５６】
ステップ２３０において、ＵＥ１０は、周辺端末から送信される信号（例えば、Ｄｉｓｃｏｖｅｒｙ応答）の受信電力が閾値よりも大きいか否かを判断する。判断結果が”ＹＥＳ”である場合には、ＵＥ１０は、ステップ２４０の処理を行う。一方で、判断結果が”ＮＯ”である場合には、ＵＥ１０は、一連の処理を終了する。
【０１５７】
なお、ＵＥ１０は、オフセット値及び／又は判定時間範囲が通知されていた場合には、当該オフセット値及び／又は当該判定時間範囲を考慮して、周辺端末からの受信電力が閾値よりも大きいか否かを判断してもよい。
【０１５８】
ステップ２４０において、ＵＥ１０は、周辺端末の識別子とともに、周辺端末から送信される信号（例えば、Ｄｉｓｃｏｖｅｒｙ応答）の受信電力を示す情報を無線基地局３１０に送信する。
【０１５９】
ステップ２５０において、無線基地局３１０は、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１６０】
［変更例３］
以下において、第１実施形態の変更例３について説明する。変更例３において、ＵＥ１０は、所定周期で周辺端末の識別子を無線基地局３１０に通知する。周辺端末の識別子を通知する所定周期は、無線基地局３１０から通知される。所定周期は、ＳＩＢなどの報知チャネルを用いて報知されてもよく、ＰＤＣＣＨなどの個別制御チャネルを用いてＵＥ１０に送信されてもよい。
【０１６１】
具体的には、図１５に示すように、ステップ３１０において、無線基地局３１０は、周辺端末の識別子を通知する所定周期をＵＥ１０に通知する。
【０１６２】
ステップ３２０において、ＵＥ１０は、ＵＥ１０の周辺に位置する周辺端末を検知する。具体的には、ＵＥ１０は、Ｄ２Ｄ通信を行うことが可能な周辺端末を検知するための信号（Ｄｉｓｃｏｖｅｒｙ信号）を所定電力で報知する。ＵＥ１０は、周辺端末が存在していれば、Ｄｉｓｃｏｖｅｒｙ信号に対する応答として、Ｄｉｓｃｏｖｅｒｙ応答を周辺端末から受信する。
【０１６３】
ステップ３３０において、ＵＥ１０は、無線基地局３１０から通知された所定周期に従って、周辺端末の識別子を無線基地局３１０に送信する。ここで、ＵＥ１０は、周辺端末の識別子とともに、周辺端末から送信される信号（例えば、Ｄｉｓｃｏｖｅｒｙ応答）の受信電力を示す情報を無線基地局３１０に送信してもよい。
【０１６４】
ステップ３４０において、無線基地局３１０は、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１６５】
［変更例４］
以下において、第１実施形態の変更例４について説明する。変更例４において、ＵＥ１０は、無線基地局３１０からの指示（情報通知要求）に応じて、周辺端末の識別子を無線基地局３１０に通知する。
【０１６６】
具体的には、図１６に示すように、ステップ４１０において、無線基地局３１０は、周辺端末の識別子の通知を要求する指示（情報通知要求）をＵＥ１０に通知する。
【０１６７】
ステップ４２０において、ＵＥ１０は、ＵＥ１０の周辺に位置する周辺端末を検知する。具体的には、ＵＥ１０は、Ｄ２Ｄ通信を行うことが可能な周辺端末を検知するための信号（Ｄｉｓｃｏｖｅｒｙ信号）を所定電力で報知する。ＵＥ１０は、周辺端末が存在していれば、Ｄｉｓｃｏｖｅｒｙ信号に対する応答として、Ｄｉｓｃｏｖｅｒｙ応答を周辺端末から受信する。
【０１６８】
ステップ４３０において、ＵＥ１０は、無線基地局３１０からの指示（情報通知要求）に応じて、周辺端末の識別子を無線基地局３１０に送信する。ここで、ＵＥ１０は、周辺端末の識別子とともに、周辺端末から送信される信号（例えば、Ｄｉｓｃｏｖｅｒｙ応答）の受信電力を示す情報を無線基地局３１０に送信してもよい。
【０１６９】
ステップ４４０において、無線基地局３１０は、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１７０】
［変更例５］
以下において、第１実施形態の変更例５について説明する。変更例５において、無線基地局３１０（以下、無線基地局３１０Ａ）は、他の無線基地局３１０（以下、無線基地局３１０Ｂ）に対して、周辺端末の識別子を通知する。ここで、無線基地局３１０Ａは、無線基地局３１０Ｂに対して、周辺端末の識別子とともに、周辺端末から送信される信号（例えば、Ｄｉｓｃｏｖｅｒｙ応答）の受信電力を示す情報を通知してもよい。或いは、無線基地局３１０Ａは、無線基地局３１０Ｂに対して、周辺端末の識別子とともに、ＵＥ１０の識別子を通知してもよい。
【０１７１】
具体的には、図１７に示すように、ステップ５１０において、ＵＥ１０は、ＵＥ１０の周辺に位置する周辺端末を検知する。具体的には、ＵＥ１０は、Ｄ２Ｄ通信を行うことが可能な周辺端末を検知するための信号（Ｄｉｓｃｏｖｅｒｙ信号）を所定電力で報知する。ＵＥ１０は、周辺端末が存在していれば、Ｄｉｓｃｏｖｅｒｙ信号に対する応答として、Ｄｉｓｃｏｖｅｒｙ応答を周辺端末から受信する。
【０１７２】
ステップ５２０において、ＵＥ１０は、周辺端末の識別子を無線基地局３１０Ａに送信する。ここで、ＵＥ１０は、周辺端末の識別子とともに、周辺端末から送信される信号（例えば、Ｄｉｓｃｏｖｅｒｙ応答）の受信電力を示す情報を無線基地局３１０Ａに送信してもよい。
【０１７３】
ステップ５３０において、無線基地局３１０Ａは、無線基地局３１０Ｂに対して、周辺端末の識別子を通知する。ここでは、無線基地局３１０Ａは、無線基地局３１０Ｂに対して、周辺端末の識別子とともに、周辺端末から送信される信号（例えば、Ｄｉｓｃｏｖｅｒｙ応答）の受信電力を示す情報、ＵＥ１０の識別子を通知してもよい。
【０１７４】
無線基地局３１０Ａは、ＵＥ１０からの通知に基づいて、無線基地局３１０Ｂに周辺端末の識別子を通知してもよいし、無線基地局３１０Ｂからの要求（Ｒｅｑｕｅｓｔ）に基づいて、無線基地局３１０Ｂに周辺端末の識別子を通知（Ｒｅｓｐｏｎｓｅ）してもよい。
【０１７５】
ステップ５４０において、無線基地局３１０Ａは、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１７６】
ステップ５５０において、無線基地局３１０Ｂは、ＵＥ１０に割当てるＤ２Ｄ無線リソース、又は、周辺端末に割当てる周辺端末無線リソースを割当てる（スケジューリング）。具体的には、無線基地局３１０は、図１０〜図１１に示す無線リソースの割当を行う。
【０１７７】
［変更例６］
以下において、第１実施形態の変更例６について説明する。変更例６において、無線基地局３１０は、ＵＥ１０から受信する周辺端末の識別子及びＵＥ１０のＴＡ（Ｔｉｍｉｎｇ  Ａｄｖａｎｃｅ）に基づいて、無線基地局３１０によって管理されるセルに存在するＵＥ１０の分布を特定する。
【０１７８】
具体的には、第１に、無線基地局３１０は、ＵＥ１０のＴＡに基づいて、無線基地局３１０を中心とする同心円上において、ＵＥ１０の位置を特定する。ここで、ＵＥ１０のＴＡが同じであれば、無線基地局３１０を中心とする同心円上に各ＵＥ１０をプロットすることが可能である。
【０１７９】
第２に、無線基地局３１０は、ＵＥ１０と同じＴＡを有する周辺端末の識別子に基づいて、ＵＥ１０と周辺端末との距離を特定して、同心円上において、周辺端末をプロットする。この段階では、無線基地局３１０は、同心円上において右回り方向及び左回り方向のいずれに周辺端末が存在するのかを特定することができない。
【０１８０】
第３に、無線基地局３１０は、無線基地局３１０内に存在するセルに存在する複数のＵＥ１０の周辺端末の位置を順に特定する。これによって、無線基地局３１０は、無線基地局３１０内に存在するセルに存在する複数のＵＥ１０の位置関係をある程度の精度で特定することができる。
【０１８１】
例えば、図１８に示すように、無線基地局３１０内に存在するセルに存在する複数のＵＥ１０は、ＴＡ毎に異なる同心円上にプロットされる。さらに、複数のＵＥ１０のそれぞれが周辺端末の識別子を送る（例えば、ＵＥ１０−１が周辺端末であるＵＥ１０−２の識別子を送信し、ＵＥ１０−２が周辺端末であるＵＥ１０−３の識別子を送信する）ことによって、周辺端末の識別子に基づいて、無線基地局３１０内に存在するセルに存在する複数のＵＥ１０の周辺端末の位置が順に特定される。これによって、ある程度の精度で、無線基地局３１０内に存在するセルに存在する複数のＵＥ１０の位置関係（特に、相対的な位置関係）が特定される。
【０１８２】
［変更例７］
以下において、第１実施形態の変更例７について説明する。変更例７では、無線基地局３１０は、ＵＥ１０から受信する周辺端末の識別子、及び、周辺端末から送信される信号（例えば、Ｄｉｓｃｏｖｅｒｙ応答）の受信電力に基づいて、無線基地局３１０によって管理されるセルに存在するＵＥ１０の分布を特定する。
【０１８３】
具体的には、図１９に示すように、無線基地局３１０によって管理されるセルに、ＵＥ１０Ａ、ＵＥ１０Ｂ及びＵＥ１０Ｃが存在するケースについて例示する。ここで、無線基地局３１０は、ＵＥ１０Ｂ及びＵＥ１０ＣをＵＥ１０Ａの周辺端末として特定し、ＵＥ１０ＢからＵＥ１０Ａが受信する信号の受信電力に基づいて、ＵＥ１０ＡとＵＥ１０Ｂとの間の距離２を特定し、ＵＥ１０ＣからＵＥ１０Ａが受信する信号の受信電力に基づいて、ＵＥ１０ＡとＵＥ１０Ｃとの間の距離１を特定する。同様に、無線基地局３１０は、ＵＥ１０ＡとＵＥ１０Ｂとの間の距離２及びＵＥ１０ＢとＵＥ１０Ｃとの間の距離３を特定し、ＵＥ１０ＡとＵＥ１０ｃとの間の距離１及びＵＥ１０ＢとＵＥ１０Ｃとの間の距離３を特定する。
【０１８４】
これによって、ＵＥ１０Ａ、ＵＥ１０Ｂ及びＵＥ１０Ｃの位置関係を特定することが可能であり、無線基地局３１０によって管理されるセルに存在するＵＥ１０の分布が特定される。
【０１８５】
［変更例８］
以下において、第１実施形態の変更例８について説明する。変更例８では、図２０に示すように、無線基地局３１０は、ＴＡ及びＴＡの到来角に基づいて、ＵＥ１０の位置を特定する。具体的には、無線基地局３１０は、ＴＡに基づいて、無線基地局３１０とＵＥ１０との距離を特定し、ＴＡの到来角に基づいて、ＵＥ１０が位置する方向を特定する。これによって、無線基地局３１０によって管理されるセルに存在するＵＥ１０の位置の特定精度が向上する。
【０１８６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１８７】
実施形態では、Ｄ２Ｄ通信において、２つのＵＥ１０が通信を行うケースについて例示した。しかしながら、実施形態は、これに限定されるものではない。具体的には、Ｄ２Ｄ通信において、３つ以上のＵＥ１０が通信を行ってもよい。
【０１８８】
実施形態では特に触れていないが、変更例６〜変更例８のうち、少なくともいずれか２つを組み合わせることによって、無線基地局３１０によって管理されるセルに存在するＵＥ１０の分布の特定精度の向上を図ってもよい。
【０１８９】
実施形態では、無線基地局３１０によって管理されるセルに存在するＵＥ１０の分布を無線基地局３１０が特定する。しかしながら、実施形態は、これに限定されるものではない。無線基地局３１０によって管理されるセルに存在するＵＥ１０の分布は、無線基地局３１０よりも上位のノード（例えば、ネットワーク装置３３０）によって特定されてもよい。このようなケースでは、ＵＥ１０の識別子、ＵＥ１０のＴＡ、周辺端末の識別子、周辺端末から送信される信号（例えば、Ｄｉｓｃｏｖｅｒｙ応答）の受信電力などの情報は、無線基地局３１０から上位のノードに通知される。
【０１９０】
実施形態、変更例１から変更例５では、ＵＥ１０は、周辺端末から受信するＤｉｓｃｏｖｅｒｙ応答に応じて、周辺端末の識別子及び周辺端末から送信される信号（例えば、Ｄｉｓｃｏｖｅｒｙ応答）の受信電力を示す情報を無線基地局３１０に通知する。しかしながら、実施形態は、これに限定されるものではない。具体的には、周辺端末は、ＵＥ１０（Ｄ２Ｄ端末）から受信するＤｉｓｃｏｖｅｒｙ信号に応じて、Ｄｉｓｃｏｖｅｒｙ信号に含まれるＵＥ１０の識別子及びＵＥ１０から送信される信号（例えば、Ｄｉｓｃｏｖｅｒｙ信号）の受信電力を示す情報を無線基地局３１０に通知してもよい。
【０１９１】
実施形態では、周辺端末から送信される信号（例えば、Ｄｉｓｃｏｖｅｒｙ応答）の受信電力と比較される閾値は、無線基地局３１０から通知される。しかしながら、実施形態は、これに限定されるものではない。周辺端末から送信される信号（例えば、Ｄｉｓｃｏｖｅｒｙ応答）の受信電力と比較される閾値は、予め定められていてもよい。
【０１９２】
実施形態では特に触れていないが、無線基地局３１０によって管理されるセルに存在するＵＥ１０の分布は、ＳＯＮ（Ｓｅｌｆ  Ｏｒｇａｎｉｚｉｎｇ  Ｎｅｔｗｏｒｋ）又はＭＤＴ（Ｍｉｎｉｍｉｚａｔｉｏｎ  ｏｆ  Ｄｒｉｖｅ  Ｔｅｓｔｓ）に用いることが有用である。また、無線基地局３１０によって管理されるセルに存在するＵＥ１０の分布は、無線リソースのスケジューリングに用いてもよい。
【０１９３】
実施形態では、ＵＥ１０ＡとＵＥ１０Ｂとの間で直接的に行われるユーザデータの通信状態の変化をＵＥ１０（ＵＥ１０Ａ又はＵＥ１０Ｂ）が判断する。しかしながら、実施形態は、これに限定されるものではない。具体的には、ＵＥ１０ＡとＵＥ１０Ｂとの間で直接的に行われるユーザデータの通信状態の変化を無線基地局３１０が判断してもよい。
【０１９４】
このようなケースでは、無線基地局３１０は、ＵＥ１０（ＵＥ１０Ａ又はＵＥ１０Ｂ）から受信するＤ２Ｄ制御信号に基づいて、ＵＥ１０ＡとＵＥ１０Ｂとの間で直接的に行われるユーザデータの通信状態の変化を判断する。Ｄ２Ｄ制御信号は、ユーザデータの通信に用いる送信電力を示す信号、又は、ユーザデータの通信に用いる変調符号化方式を示す信号である。
【０１９５】
実施形態では、ＵＥ１０ＡとＵＥ１０Ｂとの間で直接的に行われるユーザデータの通信状態の変化は、主として、ユーザデータの通信に用いる送信電力、又は、ユーザデータの通信に用いる変調符号化方式に基づいて判断される。しかしながら、実施形態はこれに限定されるものではない。ＵＥ１０ＡとＵＥ１０Ｂとの間で直接的に行われるユーザデータの通信状態の変化は、ブロックエラーレート、パケットエラーレート、所定のＱｏＳが満たされているか否か、ＣＱＩ及びＵＥ１０の処理負荷のいずれか１つに基づいて判断されてもよい。
【０１９６】
例えば、ユーザデータの通信状態の変化をＵＥ１０（ＵＥ１０Ａ又はＵＥ１０Ｂ）が判断するケースでは、Ｄ２Ｄ制御信号は、Ｄ２Ｄ通信に係るブロックエラーレートが閾値を上回っていることを示す信号、Ｄ２Ｄ通信に係るブロックエラーレートが閾値を下回っていることを示す信号、Ｄ２Ｄ通信に係るパケットエラーレートが閾値を上回っていることを示す信号、Ｄ２Ｄ通信に係るパケットエラーレートが閾値を下回っていることを示す信号、Ｄ２Ｄ通信に係る所定のＱｏＳが満たされているか否かを示す信号、Ｄ２Ｄ通信に係るＣＱＩが閾値を下回っていることを示す信号、Ｄ２Ｄ通信に係るＣＱＩが閾値を上回っていることを示す信号、ＵＥ１０の処理負荷が閾値を上回っていることを示す信号、及び、ＵＥ１０の処理負荷が閾値を下回っていることを示す信号のうち、少なくともいずれか１つである。
【０１９７】
或いは、ユーザデータの通信状態の変化を無線基地局３１０が判断するケースでは、Ｄ２Ｄ制御信号は、Ｄ２Ｄ通信に係るブロックエラーレートを示す信号、Ｄ２Ｄ通信に係るパケットエラーレートを示す信号、Ｄ２Ｄ通信に係るＣＱＩを示す信号及びＵＥ１０の処理負荷を示す信号のうち、少なくともいずれか１つである。
【０１９８】
実施形態では、第１割当モードと第２割当モードとを切り替える主体は、主として、ＵＥ１０（ＵＥ１０Ａ又はＵＥ１０Ｂ）である。しかしながら、実施形態は、これに限定されるものではない。例えば、第１割当モードと第２割当モードとを切り替える主体は、無線基地局３１０であってもよい。このようなケースでは、無線基地局３１０は、第１割当モードと第２割当モードとの切り替えを要求する信号をＵＥ１０（ＵＥ１０Ａ又はＵＥ１０Ｂ）に送信する。
【０１９９】
上述した実施形態では特に触れていないが、ＵＥ１０（ＵＥ１０Ａ又はＵＥ１０Ｂ）が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２００】
或いは、ＵＥ１０（ＵＥ１０Ａ又はＵＥ１０Ｂ）が行う各処理を実行するためのプログラムを記憶するメモリ及びメモリに記憶されたプログラムを実行するプロセッサによって構成されるチップが提供されてもよい。
【０２０１】
なお、米国仮出願第６１／６７６７９３号（２０１２年７月２７日出願）及び米国仮出願第６１／６７６８０２号（２０１２年７月２７日出願）の全内容が、参照により、本願明細書に組み込まれている。
【産業上の利用可能性】
【０２０２】
以上のように、本発明に係る移動通信システム及び移動通信方法は、無線端末が他の無線端末を見つける処理は、Ｄ２Ｄ通信だけではなくて、他の処理にも応用可能であるため、移動通信分野において有用である。
【図１】
0006501740.tif 000002
【図２】
0006501740.tif 000003
【図３】
0006501740.tif 000004
【図４】
0006501740.tif 000005
【図５】
0006501740.tif 000006
【図６】
0006501740.tif 000007
【図７】
0006501740.tif 000008
【図８】
0006501740.tif 000009
【図９】
0006501740.tif 000010
【図１０】
0006501740.tif 000011
【図１１】
0006501740.tif 000012
【図１２】
0006501740.tif 000013
【図１３】
0006501740.tif 000014
【図１４】
0006501740.tif 000015
【図１５】
0006501740.tif 000016
【図１６】
0006501740.tif 000017
【図１７】
0006501740.tif 000018
【図１８】
0006501740.tif 000019
【図１９】
0006501740.tif 000020
【図２０】
0006501740.tif 000021